(57)【特許請求の範囲】
【請求項１】
筐体の内部に収納される消火用ホースを引き出すための前面開口部を開閉自在にする消火栓装置のスライド扉であって、該スライド扉を、該筐体の縦方向又は横方向にスライドして該筐体の前面開口部を開閉自在にするスライドパネルと、該スライドパネルを支持するとともに、該スライドパネルがスライドするのをガイドし、該筐体に取り付けられる被スライド部材と、該被スライド部材を若干傾斜させて、該スライドパネルの開方向側端部を該筐体の前面より前方に臨ませる被スライド部材傾斜手段とから構成し、該スライドパネルの開方向のスライド軌跡を該筐体外部に形成したことを特徴とする消火栓装置のスライド扉。
【請求項２】
筐体の内部に収納される消火用ホースを引き出すための前面開口部を開閉自在にする消火栓装置のスライド扉であって、該スライド扉を、該筐体の縦方向又は横方向にスライドして該筐体の前面開口部を開閉自在にするスライドパネルと、該スライドパネルを支持するとともに、該スライドパネルがスライドするのをガイドし、該筐体に取り付けられる被スライド部材と、該被スライド部材を平行移動させて、該スライドパネルの開方向側端部を該筐体の前面より前方に臨ませる被スライド部材移動手段とから構成し、該スライドパネルの開方向のスライド軌跡を該筐体外部に形成したことを特徴とする消火栓装置のスライド扉。
【請求項３】
該スライドパネルの裏面に該スライドパネルを開方向にスライドさせる駆動機構を設けたことを特徴とする請求項１又は２記載の消火栓装置のスライド扉。
【請求項４】
該駆動機構を、付勢手段を有する駆動源部と、該駆動源部の該付勢手段の付勢力を、該スライドパネルを開方向にスライドさせる力として該スライドパネルに伝達する動力伝達手段とから構成したことを特徴とする請求項３記載の消火栓装置のスライド扉。
【請求項５】
該駆動機構における該動力伝達手段を、該駆動源部の該付勢手段の付勢力により移動する動滑車と、該スライドパネルに位置固定された一方の端部から、該動滑車を経て、該被スライド部材に位置固定されたもう一方の端部に至るワイヤーとから構成し、該動力伝達手段の該動滑車が該駆動源部の該付勢手段の付勢力により移動し、該動滑車が該ワイヤーを牽引することで、該駆動源部の該付勢手段の付勢力が、該スライドパネルを開方向にスライドさせる力として該スライドパネルに伝達されるものであることを特徴とする請求項４記載の消火栓装置のスライド扉。
【請求項６】
筐体の内部に収納される消火用ホースを引き出すための前面開口部を開閉自在にする消火栓装置のスライド扉であって、該スライド扉を、該筐体の上方に向かう方向にスライドすることで該筐体の前面開口部を開き、該筐体の下方に向かう方向にスライドすることで該筐体の前面開口部を閉じるスライドパネルと、該スライドパネルを支持するとともに、該スライドパネルが上下にスライドするのをガイドし、該筐体に取り付けられるガイドレールと、該ガイドレールを該筐体の前方に傾斜させて、該スライドパネルの上端部を該筐体の前面より前方に臨ませるガイドレール傾斜手段とから構成し、該スライド扉における該スライドパネルの裏面に、付勢手段を有する駆動源部と、該駆動源部の該付勢手段の付勢力を、該スライドパネルを開方向にスライドさせる力として該スライドパネルに伝達する動力伝達手段とからなるスライドパネル駆動機構部を設け、該スライドパネル駆動機構部における該動力伝達手段を、該駆動源部の該付勢手段の付勢力により移動する動滑車と、該スライドパネルに位置固定された一方の端部から、該動滑車を経て、該ガイドレールに位置固定されたもう一方の端部に至るワイヤーとから構成し、該動力伝達手段の該動滑車が該駆動源部の該付勢手段の付勢力により移動し、該動滑車が該ワイヤーを牽引することで、該駆動源部の該付勢手段の付勢力を、該スライドパネルを開方向にスライドさせる力として該スライドパネルに伝達するものとし、該スライドパネルの上方方向のスライド軌跡を該筐体外部に形成したことを特徴とする消火栓装置のスライド扉。
【請求項７】
筐体の内部に収納される消火用ホースを引き出すための前面開口部を開閉自在にする消火栓装置のスライド扉であって、該スライド扉を、該筐体の上方に向かう方向にスライドすることで該筐体の前面開口部を開き、該筐体の下方に向かう方向にスライドすることで該筐体の前面開口部を閉じるスライドパネルと、該スライドパネルを支持するとともに、該スライドパネルが上下にスライドするのをガイドし、該筐体に取り付けられるガイドレールと、該ガイドレールを平行移動させて、該スライドパネルの上端部を該筐体の前面より前方に臨ませるガイドレール移動手段とから構成し、該スライド扉における該スライドパネルの裏面に、付勢手段を有する駆動源部と、該駆動源部の該付勢手段の付勢力を、該スライドパネルを開方向にスライドさせる力として該スライドパネルに伝達する動力伝達手段とからなるスライドパネル駆動機構部を設け、該スライドパネル駆動機構部における該動力伝達手段を、該駆動源部の該付勢手段の付勢力により移動する動滑車と、該スライドパネルに位置固定された一方の端部から、該動滑車を経て、該ガイドレールに位置固定されたもう一方の端部に至るワイヤーとから構成し、該動力伝達手段の該動滑車が該駆動源部の該付勢手段の付勢力により移動し、該動滑車が該ワイヤーを牽引することで、該駆動源部の該付勢手段の付勢力を、該スライドパネルを開方向にスライドさせる力として該スライドパネルに伝達するものとし、該スライドパネルの上方方向のスライド軌跡を該筐体外部に形成したことを特徴とする消火栓装置のスライド扉。
【請求項８】
該駆動源部をガススプリングで構成したことを特徴とする請求項４、５、６又は７に記載の消火栓装置のスライド扉。
【発明の詳細な説明】
【０００１】
【発明の属する技術分野】
この発明は、例えばトンネル等に設置される、消火用ホースを装置内に収納した消火栓装置における前面開口部を開閉自在にするスライド扉に関する。
【０００２】
【従来の技術】
例えばトンネル等に設備される消火栓装置は、一般に基端部が消火剤供給源に連結され、先端部にノズルを有する消火用ホースを備えており、この消火用ホースを介してノズルより放出される消火剤により発生した火災を消火する如く用いられるものである。このような消火用ホースを備えた消火栓装置において、消火用ホースは、常時には筐体内に巻き付けられて収容されており、火災発生時に筐体内より引き出されて用いられる。
【０００３】
上記のような消火栓装置において、その筐体内から消火用ホースを引き出したり、或いは逆に筐体内に消火用ホースを収納したり等するための開口部を筐体の前面側に備え、さらにその開口部を開閉自在にする前面扉を備えているものがある。
【０００４】
消火栓装置における前記前面扉は、そのほとんどのものが、所謂前傾扉であり、筐体の前方に傾倒することにより開くようになっている。
【０００５】
【発明が解決しようとする課題】
ところで、トンネルに設置される消火栓装置の場合、車道に隣接する監査員通路に設置されたり、或いはトンネルの内壁に埋設されて設置されたりするので、前面扉の開閉の際には、車両の通行や人の避難の妨げにならないように、筐体の前方への突出寸法は小さい方が望ましい。
【０００６】
しかしながら、上記従来の消火栓装置のように、その前面扉が前傾扉である場合、前傾扉を開く際に前傾扉の回転半径の寸法分筐体の前方に大きく突出してしまうこととなる。
【０００７】
したがって、この場合、前傾扉が筐体の前方に大きく突出することにより、扉が車両の通行や人の避難の妨げになる可能性がある、という問題点が存する。
【０００８】
そこで、本願発明の発明者は、消火栓装置における前面扉を筐体の縦方向又は横方向にスライドして開閉するスライド扉にする、という着想を得た。前面扉をスライド式にすることにより、前面扉の開閉の際に、前面扉が筐体の前方に突出するということをなくすることができるので、前記従来の消火栓装置のように、扉が車両の通行や人の避難の妨げになるということをなくすることができる。
【０００９】
しかしながら、前面扉をスライド扉にする場合、筐体内部においてスライド扉をスライドさせるとなると、その分の大きなスペースを筐体内部に設ける必要があるので、筐体を大きくしてしまう、という新たな問題点が存する。
【００１０】
この発明は、上記事情に鑑み、筐体内部にスライド扉をスライドさせるためのスペースを設ける必要をなくすることができる、消火栓装置のスライド扉を提供することを目的とする。
【００１１】
【課題を解決するための手段】
上記目的を達成するこの発明について述べれば、それは、筐体の内部に収納される消火用ホースを引き出すための前面開口部を開閉自在にする消火栓装置のスライド扉であって、該スライド扉を、該筐体の縦方向又は横方向にスライドして該筐体の前面開口部を開閉自在にするスライドパネルと、該スライドパネルを支持するとともに、該スライドパネルがスライドするのをガイドし、該筐体に取り付けられる被スライド部材と、該被スライド部材を若干傾斜させて、該スライドパネルの開方向側端部を該筐体の前面より前方に臨ませる被スライド部材傾斜手段とから構成し、該スライドパネルの開方向のスライド軌跡を該筐体外部に形成したことを特徴とする消火栓装置のスライド扉（請求項１）である。
【００１２】
さらに、上記目的を達成するこの発明について述べれば、それは、筐体の内部に収納される消火用ホースを引き出すための前面開口部を開閉自在にする消火栓装置のスライド扉であって、該スライド扉を、該筐体の縦方向又は横方向にスライドして該筐体の前面開口部を開閉自在にするスライドパネルと、該スライドパネルを支持するとともに、該スライドパネルがスライドするのをガイドし、該筐体に取り付けられる被スライド部材と、該被スライド部材を平行移動させて、該スライドパネルの開方向側端部を該筐体の前面より前方に臨ませる被スライド部材移動手段とから構成し、該スライドパネルの開方向のスライド軌跡を該筐体外部に形成したことを特徴とする消火栓装置のスライド扉（請求項２）である。
【００１３】
前記発明によれば、スライド扉を開ける際に、被スライド部材傾斜手段或いは被スライド部材移動手段により、スライドパネルの開方向側端部を筐体の前面より前方に臨ませてから、スライドパネルを開方向にスライドさせることで、スライドパネルの開方向のスライド軌跡を筐体外部に形成することができる。したがって、筐体内部にスライド扉をスライドさせるためのスペースを設ける必要をなくすることができる。
【００１４】
なお、前記被スライド部材は、スライドパネルの開方向側端部を筐体の前面より前方に臨ませる如くに、被スライド部材傾斜手段により若干傾斜させられているだけ、或いは被スライド部材移動手段により平行移動させられるているだけなので、スライドパネルが筐体の前面開口部を閉じている状態とほぼ平行、或いは平行の状態でスライドパネルはスライドすることとなり、スライドパネルを開方向にスライドさせても、筐体の前方にスライドパネルが突出するということがなく、スライドパネルの開方向のスライド軌跡を筐体の外部に形成しても、スライドパネルが車両の通行や人の避難の妨げになるということがない。
【００１５】
さらに、前記発明において好ましくは、該スライドパネルの裏面に該スライドパネルを開方向にスライドさせる駆動機構を設ける（請求項３）のが好ましい。この駆動機構を設けることにより、スライドパネルを開方向にスライドさせるのを自動的に行うことをできるようにすることができる。
【００１６】
前記駆動機構としては、例えば、付勢手段を有する駆動源部と、該駆動源部の該付勢手段の付勢力を、該スライドパネルを開方向にスライドさせる力として該スライドパネルに伝達する動力伝達手段とから構成し（請求項４）、さらに該駆動機構における該動力伝達手段としては、例えば、該駆動源部の該付勢手段の付勢力により移動する動滑車と、該スライドパネルに位置固定された一方の端部から、該動滑車を経て、該被スライド部材に位置固定されたもう一方の端部に至るワイヤーとから構成し、該動力伝達手段の該動滑車が該駆動源部の該付勢手段の付勢力により移動し、該動滑車が該ワイヤーを牽引することで、該駆動源部の該付勢手段の付勢力を、該スライドパネルを開方向にスライドさせる力として該スライドパネルに伝達するものとする（請求項５）のが好ましい。
【００１７】
さらに、上記目的を達成するこの発明について述べれば、それは、筐体の内部に収納される消火用ホースを引き出すための前面開口部を開閉自在にする消火栓装置のスライド扉であって、該スライド扉を、該筐体の上方に向かう方向にスライドすることで該筐体の前面開口部を開き、該筐体の下方に向かう方向にスライドすることで該筐体の前面開口部を閉じるスライドパネルと、該スライドパネルを支持するとともに、該スライドパネルが上下にスライドするのをガイドし、該筐体に取り付けられるガイドレールと、該ガイドレールを該筐体の前方に傾斜させて、該スライドパネルの上端部を該筐体の前面より前方に臨ませるガイドレール傾斜手段とから構成し、該スライド扉における該スライドパネルの裏面に、付勢手段を有する駆動源部と、該駆動源部の該付勢手段の付勢力を、該スライドパネルを開方向にスライドさせる力として該スライドパネルに伝達する動力伝達手段とからなるスライドパネル駆動機構部を設け、該スライドパネル駆動機構部における該動力伝達手段を、該駆動源部の該付勢手段の付勢力により移動する動滑車と、該スライドパネルに対して位置固定された一方の端部から、該動滑車を経て、該ガイドレールに位置固定されたもう一方の端部に至るワイヤーとから構成し、該動力伝達手段の該動滑車が該駆動源部の該付勢手段の付勢力により移動し、該動滑車が該ワイヤーを牽引することで、該駆動源部の該付勢手段の付勢力を、該スライドパネルを開方向にスライドさせる力として該スライドパネルに伝達するものとし、該スライドパネルの上方方向のスライド軌跡を該筐体外部に形成したことを特徴とする消火栓装置のスライド扉（請求項６）である。
【００１８】
さらにまた、上記目的を達成するこの発明について述べれば、それは、筐体の内部に収納される消火用ホースを引き出すための前面開口部を開閉自在にする消火栓装置のスライド扉であって、該スライド扉を、該筐体の上方に向かう方向にスライドすることで該筐体の前面開口部を開き、該筐体の下方に向かう方向にスライドすることで該筐体の前面開口部を閉じるスライドパネルと、該スライドパネルを支持するとともに、該スライドパネルが上下にスライドするのをガイドし、該筐体に取り付けられるガイドレールと、該ガイドレールを平行移動させて、該スライドパネルの上端部を該筐体の前面より前方に臨ませるガイドレール移動手段とから構成し、該スライド扉における該スライドパネルの裏面に、付勢手段を有する駆動源部と、該駆動源部の該付勢手段の付勢力を、該スライドパネルを開方向にスライドさせる力として該スライドパネルに伝達する動力伝達手段とからなるスライドパネル駆動機構部を設け、該スライドパネル駆動機構部における該動力伝達手段を、該駆動源部の該付勢手段の付勢力により移動する動滑車と、該スライドパネルに位置固定された一方の端部から、該動滑車を経て、該ガイドレールに位置固定されたもう一方の端部に至るワイヤーとから構成し、該動力伝達手段の該動滑車が該駆動源部の該付勢手段の付勢力により移動し、該動滑車が該ワイヤーを牽引することで、該駆動源部の該付勢手段の付勢力を、該スライドパネルを開方向にスライドさせる力として該スライドパネルに伝達するものとし、該スライドパネルの上方方向のスライド軌跡を該筐体外部に形成したことを特徴とする消火栓装置のスライド扉（請求項７）である。
【００１９】
さらに、前記発明において好ましくは、該駆動源部をガススプリングで構成する（請求項８）のが好ましい。
【発明の実施の形態】
［第１の実施の形態］
この発明の第１の実施の形態を図１乃至３に基づき説明する。
【００２０】
図１において、１０は消火栓装置であり、その筐体１１内に図示しない消火用ホース等が収納される。筐体１１は、その内部に収納される消火用ホースを引き出すために、前面１１ａ側に前面開口部１１ｂを備えている。
【００２１】
スライド扉１２は、前面開口部１１ｂを開閉自在にするものであり、図１はそのスライド扉１２が前面開口部１１ｂを閉じている状態を示している。
【００２２】
このスライド扉１２は、筐体１１の縦方向にスライドして筐体１１の前面開口部１１ｂを開閉自在にするスライドパネル１２ｄと、スライドパネル１２ｄを支持するとともに、スライドパネル１２ｄがスライドするのをガイドし、筐体１１に取り付けられる被スライド部材の一例としてのガイドレール１２ｃと、そのガイドレール１２ｃを若干傾斜させて、スライドパネル１２ｄの開方向側端部、即ち本実施の形態においては上端１２ｂを筐体１１の前面１１ａより前方に臨ませる被スライド部材傾斜手段の一例であるとともに、ガイドレール１２ｃを筐体１１に取り付けている前傾ヒンジ１２ａとから構成されている。
【００２３】
図２は、図１の状態からスライド扉１２を傾斜させた状態を示しており、図３は、図２の状態からスライドパネル１２ｄを上方にスライドさせて前面開口部１１ｂを開けている状態を示している。
【００２４】
図２に示すように、前傾ヒンジ１２ａによりスライド扉１２を角度θ１傾斜させることで、ガイドレール１２ｃに支持されているスライドパネル１２ｄも含めて傾斜させ、その上端１２ｂを少なくともその厚み分筐体１１の前面１１ａより前方に突出した位置に位置させる、即ち上端１２ｂを筐体１１の前面１１ａより前方に臨む位置に位置させる。このようにすることで、スライドパネル１２ｄは筐体１１の上方に向かう方向、即ち矢印Ａ１２方向へのスライドが可能となり、そのスライド軌跡は筐体１１の外部に形成されることとなる。この状態からスライドパネル１２ｄを矢印Ａ１２方向にスライドさせることにより、図３に示すように、スライドパネル１２ｄは筐体１１の上方にスライドして筐体１１の前面開口部１１ｂを開くこととなる。
【００２５】
なお、ガイドレール１２ｃの傾斜角度θ１は、スライドパネル１２ｄの上端１２ｂを筐体１１の前面１１ａより前方に臨む位置に位置させるに足る角度であればよく、その角度θ１はガイドレール１２ｃを若干傾斜させる程度の角度でよいので、スライドパネル１２ｄは、筐体１１の前面開口部１１ｂを閉じている状態とほぼ平行の状態でスライドすることとなり、筐体１１の前方にはほとんど突出しない。
【００２６】
［第２の実施の形態］
この発明の第２の実施の形態を図４乃至６に基づき説明する（前記第１の実施の形態と同一の構成部分については同一図面符号を付してその説明を省略する。）。
【００２７】
なお、本実施の形態は、前記第１の実施の形態における被スライド部材（ガイドレール１２ｃ）を傾斜させる被スライド部材傾斜手段（前傾ヒンジ１２ａ）に代えて、被スライド部材（ガイドレール２２ｃ）を平行移動させる被スライド部材移動手段（揺動アーム２２ａ、同２２ｂ）を設けたものである。
【００２８】
スライド扉２２は、前面開口部１１ｂを開閉自在にするものであり、図４はそのスライド扉２２が前面開口部１１ｂを閉じている状態を示している。
【００２９】
このスライド扉２２は、筐体１１の縦方向にスライドして筐体１１の前面開口部１１ｂを開閉自在にするスライドパネル２２ｄと、スライドパネル２２ｄを支持するとともに、スライドパネル２２ｄがスライドするのをガイドし、筐体１１に取り付けられる被スライド部材の一例としてのガイドレール２２ｃと、そのガイドレール２２ｃを平行移動させて、スライドパネル２２ｄの開方向側端部、即ち本実施の形態においては上端２２ｅを筐体１１の前面１１ａより前方に臨ませる被スライド部材移動手段の一例であるとともに、ガイドレール２２ｃを筐体１１に取り付けている揺動アーム２２ａ、同２２ｂとから構成されている。
【００３０】
揺動アーム２２ａ、同２２ｂは、一端の軸着部２２ｇがガイドレール２２ｃ側部に軸着され、他端の軸着部２２ｆが筐体１１又は筐体１１に固定の部材に軸着されており、筐体１１の前後方向に揺動自在に設けられている。この揺動アーム２２ａ、同２２ｂが揺動することにより、ガイドレール２２ｃは筐体１１の前後方向に平行移動することとなる。なお、揺動アーム２２ａ、２２ｂの前記軸着部は、ガイドレール２２ｃの側部への軸着部２２ｇの方が筐体１１又は筐体１１に固定の部材への軸着部２２ｆより下方に位置して設けられている。
【００３１】
図５は、図４の状態からスライド扉２２を平行移動させた状態を示しており、図６は、図４の状態からスライドパネル２２ｄを上方にスライドさせて前面開口部１１ｂを開けている状態を示している。
【００３２】
図４に示すように、揺動アーム２２ａ、同２２ｂを矢印Ａ２２方向に揺動させて、スライド扉２２を引き上げ出して筐体１１の前方に段違いに平行移動させることで、少なくともスライドパネル２２ｄの上端２２ｅをその厚み分筐体１１の前面１１ａより前方に突出した位置に位置させる、即ちスライドパネル２２ｄの上端２２ｅを筐体１１の前面１１ａより前方に臨む位置に位置させる。このようにすることで、スライドパネル２２ｄは筐体１１の上方に向かう方向、即ち矢印Ａ２３方向へのスライドが可能となり、そのスライド軌跡を筐体１１の外部に形成されることとなる。この状態からスライドパネル２２ｄを矢印Ａ２３方向にスライドさせることにより、図６に示すように、スライドパネル２２ｄは筐体１１の上方にスライドして筐体１１の前面開口部１１ｂを開くこととなる。
【００３３】
なお、本実施の形態において、ガイドレール２２ｃは揺動アーム２２ａ、２２ｂにより平行移動させられるものであるので、スライドパネル２２ｄは、筐体１１の前面開口部１１ｂを閉じている状態と平行の方向にスライドすることとなり、スライドパネル２２ｄを開方向にスライドさせても、スライドパネル２２ｄは筐体１１の前方にはほとんど突出しない。
【００３４】
［第３の実施の形態］
この発明の第３の実施の形態を図７乃至９に基づき説明する（前記第１、２の実施の形態と同一の構成部分については同一図面符号を付してその説明を省略する。）。
【００３５】
なお、本実施の形態は、前記第２の実施の形態のようにスライド扉２２を引き上げ出すように移動させるのに代えて、スライド扉３２を引き下げ出すように移動させるものである。
【００３６】
スライド扉３２は、前面開口部１１ｂを開閉自在にするものであり、図７はそのスライド扉３２が前面開口部１１ｂを閉じている状態を示している。
【００３７】
このスライド扉３２は、筐体１１の縦方向にスライドして筐体１１の前面開口部１１ｂを開閉自在にするスライドパネル３２ｄと、スライドパネル３２ｄを支持するとともに、スライドパネル３２ｄがスライドするのをガイドし、筐体１１に取り付けられる被スライド部材の一例としてのガイドレール３２ｃと、そのガイドレール３２ｃを平行移動させて、スライドパネル３２ｄの開方向側端部、即ち本実施の形態においては上端３２ｅを筐体１１の前面１１ａより前方に臨ませる被スライド部材移動手段の一例であるとともに、ガイドレール３２ｃを筐体１１に取り付けている揺動アーム３２ａ、同３２ｂとから構成されている。
【００３８】
揺動アーム３２ａ、同３２ｂは、一端の軸着部３２ｇがガイドレール３２ｃの側部に軸着され、他端の軸着部３２ｆが筐体１１又は筐体１１に固定の部材に軸着されており、筐体１１の前後方向に揺動自在に設けられている。この揺動アーム３２ａ、同３２ｂが揺動することにより、ガイドレール３２ｃは筐体１１の前後方向に平行移動することとなる。なお、揺動アーム３２ａ、３２ｂの前記軸着部は、ガイドレール３２ｃの側部への軸着部３２ｇの方が筐体１１又は筐体１１に固定の部材への軸着部３２ｆより上方に位置されている（したがって、前記第２の実施の形態とは揺動アームの傾斜方向が反対になっている）。
【００３９】
図８は、図７の状態からスライド扉３２を平行移動させた状態を示しており、図９は、図８の状態からスライドパネル３２ｄを上方にスライドさせて前面開口部１１ｂを開けている状態を示している。
【００４０】
図８に示すように、揺動アーム３２ａ、同３２ｂを矢印Ａ３２方向に揺動させて、スライド扉３２を引き下げ出して筐体１１の前方に段違いに平行移動させることで、少なくともスライドパネル３２ｄの上端３２ｅをその厚み分筐体１１の前面１１ａより前方に突出した位置に位置させる、即ちスライドパネル３２ｄの上端３２ｅを筐体１１の前面１１ａより前方に臨む位置に位置させる。このようにすることで、スライドパネル３２ｄは筐体１１の上方に向かう方向、即ち矢印Ａ３３方向へのスライドが可能となり、そのスライド軌跡は筐体１１の外部に形成されることとなる。この状態からスライドパネル３２ｄを矢印Ａ３３方向にスライドさせることにより、図９に示すように、スライドパネル３２ｄは筐体１１の上方にスライドして筐体１１の前面開口部１１ｂを開くこととなる。
【００４１】
この発明の第１乃至３の実施の形態を上記において説明したが、この発明は、さらにスライドパネルの裏面にスライドパネルのスライド駆動機構を設けるのが好ましい。スライド駆動機構の具体的構造については、後記の実施例において説明する。
【００４２】
【実施例】
この発明の前記第１の実施の形態をより具体的にした実施例について図１０乃至１４に基づいて説明する。なお、図１０はスライド扉１００の背面図、図１１は図１０のＡ−Ａ線断面図、図１２は図１０のＢ−Ｂ線断面図、図１３はスライド扉１００のスライドパネルを上方にスライドさせた状態における図１２に相当する部分の断面図、図１４はスライド駆動機構の模式図である（前記第１の実施の形態と同一の構成部分については同一図面符号を付してその説明を省略する。）。
【００４３】
スライド扉１００は、筐体１１の前面開口部１１ｂを開閉自在にするものであり、図１０乃至１２はそのスライド扉１００が前面開口部１１ｂを閉じている状態を示し、図１３はスライド扉１００が前面開口部１１ｂを開けている状態を示している。
【００４４】
スライド扉１００は、筐体１１の縦方向にスライドして筐体１１の前面開口部１１ｂを開閉自在にするスライドパネル１０１と、スライドパネル１０１を支持するとともに、スライドパネル１０１がスライドするのをガイドし、筐体１１に取り付けられる被スライド部材の一例としてのガイドレール１０２と、そのガイドレール１０２を若干傾斜させて、スライドパネル１０１の開方向側端部、即ち本実施例においては上端１０１ｂを筐体１１の前面１１ａより前方に臨ませる被スライド部材傾斜手段の一例であるとともに、ガイドレール１０２を筐体１１に取り付けている前傾ヒンジ１０３とから構成されている。
【００４５】
固定枠１０４は、全体としては矩形の枠状であり、その左右両辺にはそれぞれガイドレール１０２が設けられ、その上辺には固定枠上辺１０５ａが、その下辺には固定枠下辺１０５ｂがそれぞれガイドレール１０２に固定されて設けられている。
【００４６】
スライドパネル１０１はその左右両辺に断面コ字状（図１１参照）の係合部１０６を備え、ガイドレール１０２は断面コ字状（図１１参照）の係合部１０７を備えており、このスライドパネル１０１の係合部１０６とガイドレール１０２の係合部１０７とが、スライドパネル１０１に固定された走行ローラー１０８とガイドレール１０２に固定された走行ローラー１０９とを介してスライド可能に係合している（図１１参照）。
【００４７】
スライドパネル１０１に固定の走行ローラー１０８は、スライドパネル１０１の下辺側左右両端にそれぞれ１個づつ設けられており、ガイドレール１０２に固定の走行ローラー１０９は、それぞれのガイドレール１０２の上方に１個づつ設けられている。
【００４８】
ガイドレール１０２を傾斜させる前傾ヒンジ１０３は、ガイドレール１０２に支持されるスライドパネル１０１よりも筐体１１の内方に位置する如く設けられている。
【００４９】
１２８は、筐体１１の前面開口部１１ｂに設けたスライドガイド板であり、このスライドガイド板１２８は、スライドパネル１０１の上端１０１ｂと接合する如くに、筐体１１の前面開口部１１ｂの上縁１１ｃに設けられ、筐体１１の前面１１ａ側に向けてテーパー状の第１ガイド面１２８ａを有している。また、このスライドガイド板１２８は、第１ガイド面１２８ａに連続して、筐体１１の前面１１ａに設けられ、筐体１１の上方から下方に向けてテーパー状の第２ガイド面１２８ｂも有している。
【００５０】
なお１２９は、スライドパネル１０１の上端１０１ｂに設けたラッチである。このラッチ１２９が筐体１１に設けられた図示しない係合部に係合することにより、スライド扉１００は閉状態が保たれている。
【００５１】
スライド扉１００が閉状態にあるとき、スライドパネル１０１には、後記するスライド駆動機構１１０により、スライドパネル１０１を矢印Ａ１０１方向に付勢する付勢力が常時作用している。ラッチ１２９の係合を外すと、スライドパネル１０１は、図１０及び図１２に示す状態から、スライド駆動機構１１０の付勢力を受けて自動的に矢印Ａ１０１方向にスライドして、図１３に示すように、筐体１１の前面開口部１１ｂを開口する状態、即ちスライド扉１００が開状態になるが、このとき、スライドパネル１０１は、その上端１０１ｂがスライドガイド板１２８の第１ガイド面１２８ａを摺動することで、前方に向けてガイドされて、前傾ヒンジ１０３によりガイドレール１０２とともに前方に傾斜し、その後スライドガイド板１２８の第２ガイド面１２８ｂを摺動して、矢印Ａ１０１方向にスライドするようになっている。したがって、スライド扉１００が閉状態から開状態になるとき、スライドパネル１０１は、スライドガイド板１２８にガイドされつつ前方に傾斜しさらに矢印Ａ１０１方向にスライドすることとなるので、筐体１１の前面開口部１１ｂの開口縁に引っ掛かったりすることなく、円滑にスライドすることとなる。
【００５２】
１１０は、スライドパネル１０１のスライド駆動機構部であり、図１０に示すようにスライドパネル１０１の裏面に取り付けられており、スライドパネル１０１を開方向にスライドさせるのを自動的に行うことができるようになっている。
【００５３】
このスライド駆動機構１１０は、付勢手段を有する駆動源部の一例としてのガススプリング１１１と、ガススプリング１１１の付勢力を、スライドパネル１０１を開方向にスライドさせる力としてスライドパネルに伝達する動力伝達手段の一例としての、動滑車１１２やワイヤー（第１ワイヤー１１３、第２ワイヤー１１４）等からなり、ガススプリング１１１の付勢力により移動する動滑車１１２が移動することで、スライドパネル１０１に対して位置が固定された一方の端部から、動滑車１１２を経て、ガイドレール１０２に対して位置が固定されたもう一方の端部に至るワイヤー（第１ワイヤー１１３、第２ワイヤー１１４）を牽引し、その牽引力をスライドパネル１０１を開方向にスライドさせる力としてスライドパネル１０１に伝達する機構になっている。
【００５４】
本実施例における、スライド駆動機構１１０の詳細を、図１０及びスライド機構１１０を模式的に図示した図１４に基づき説明する。
【００５５】
ガススプリング１１１は、スライドパネル１０１の横方向に向いて設けられており、スライドパネル１０１に対してその位置は固定されている（本実施例においては後記する第１定滑車１１６とともにスライドパネル１０１に固定されている。）。ガススプリング１１１の付勢方向側端部には、動滑車１１２がガススプリング１１１の付勢力によって矢印Ａ１１１方向に移動可能に設けられており、その移動は図１０及び図１４に点線で示す位置まで可能である。第１ワイヤー１１３、第２ワイヤー１１４の一方の端部１１３ａ、同１１４ａは、スライドパネル１０１に対して位置が固定になる如く固定部１１５によりスライドパネル１０１に接続されており、もう一方の端部１１３ｃ、同１１４ｃは、ガイドレール１０２に対して位置が固定になる如く固定枠上辺１０５ａにそのワイヤー係止部１１８、同１１９において接続されている。この第１ワイヤー１１３、第２ワイヤー１１４は、固定部１１５から、動滑車１１２を経て、さらにスライドパネルに位置固定の第１定滑車１１６をそれぞれ経て、さらに第２ワイヤー１１４については第２定滑車１１７を経て、ワイヤー係止部１１８、同１１９に至るワイヤー経路を形成している。
【００５６】
本実施例においては、ワイヤー係止部１１８、同１１９と第１定滑車１１６、第２定滑車１１７とが、スライドパネル１０１に対して左右均等位置になる如く配置されている。このようにすることで、図１４において、第１ワイヤー１１３、第２ワイヤー１１４に対する牽引力をスライドパネル１０１に対してそれを上下の開方向にスライドさせる力として左右均等に作用させることができる。
【００５７】
また本実施例においては、第１定滑車１１６、第２定滑車１１７からワイヤー係止部１１８、同１１９に至る間に垂直状のワイヤー経路１２０、同１２１を形成する如くに、第１定滑車１１６、第２定滑車１１７とワイヤー係止部１１８、同１１９を位置決めして設けている。このようにすることで、第１ワイヤー１１３、第２ワイヤー１１４に対する牽引力の反力の方向をスライドパネル１０１の開方向と同一にすることができるので、第１ワイヤー１１３、第２ワイヤー１１４に対する牽引力をスライドパネル１０１に対してそれを開方向にスライドさせる力として効率的に作用させることができる。
【００５８】
また本実施例においては、ガススプリング１１１、第１定滑車１１６及び第２定滑車１１７をスライドパネル１０１の下方に集中させて設けている。このようにすることで、スライドパネル１０１の裏面にスライド駆動機構１１０を設けても、スライド駆動機構１１０が筐体１１内の内容物の邪魔になるのを少なくすることができ、また筐体１１の前面開口部１１ｂを広くとることができる。
【００５９】
また本実施例においては、図１４に示すように、ワイヤー係止部１１８、同１１９に、第１ワイヤー１１３、第２ワイヤー１１４のテンションを調整するためのテンションローラー１２２、同１２３を設けている。このテンションローラー１２２、同１２３を回転させることにより、第１ワイヤー１１３と第２ワイヤー１１４のテンションを適宜調整することができるようになっている。なお、１２４、１２５は、第１ワイヤー１１３と第２ワイヤー１１４を調整したテンションで係止するワイヤー係止板であり、１２６、１２７はその取付用のナットである。
【００６０】
スライド駆動機構１１０は、前記のように構成したことから、ガススプリング１１１の付勢力は、第１ワイヤー１１３及び第２ワイヤー１１４に対してはそれを矢印Ａ１１３、同Ａ１１４方向に牽引する力となる。第１ワイヤー１１３及び第２ワイヤー１１４の矢印Ａ１１３、同Ａ１１４方向側の端部１１３ｃ、同１１４ｃは固定枠上辺１０５ａに接続されているので、第１ワイヤー１１３及び第２ワイヤー１１４を矢印Ａ１１３、同Ａ１１４方向に牽引する力は、見かけ上はスライドパネル１０１をＡ１０１方向にスライドさせる力として作用していることとなる。
【００６１】
スライド機構１１０の動作について具体的に述べる。スライドパネル１０１が閉状態で、ラッチ１２９が係合状態にあり、スライドパネル１０１の位置が固定の状態にあるときには、第１ワイヤー１１３及び第２ワイヤー１１４は移動する余地がないので、ガススプリング１１１の付勢力は矢印Ａ１１１方向に常時作用してはいるものの、動滑車１１２は図１０及び１１において実線で示す位置に停止している状態にある。ラッチ１２９の係合を外し、スライドパネル１０１がスライド可能な状態になると、第１ワイヤー１１３及び第２ワイヤー１１４も移動可能な状態になるので、動滑車１１２がガススプリング１１１の付勢力により矢印Ａ１１１方向に移動するとともに、第１ワイヤー１１３及び第２ワイヤー１１４は垂直状のワイヤー経路１２０及び同１２１において矢印Ａ１１３、同Ａ１１４方向に牽引されて移動することとなる。このとき、第１ワイヤー１１３及び第２ワイヤー１１４の矢印Ａ１１３、同Ａ１１４方向への移動は、見かけ上はスライドパネル１０１をＡ１０１方向にスライドさせていることとなる。
【００６２】
本実施例においては図１４に模式的に示すように、第１ワイヤー１１３と第２ワイヤー１１４を動滑車１１２と第１定滑車１１６とに２重に巻き掛けている。これにより、第１ワイヤー１１３と第２ワイヤー１１４のそれぞれのワイヤー経路１２０と同１２１において移動距離Ｌ２は、動滑車１１２の移動距離Ｌ１の４倍の長さということとなり、スライドパネル１０１を開くのに十分な長さを得ることができるようになっている。
【００６３】
また、ガススプリング１１１により、移動距離Ｌ１を正確、且つ効率的にとることができる。
【００６４】
また、詳細には示さなかったが、本実施例においては、スライド扉１００と筐体１１との角度（第１の実施の形態における角度θ１）をスライドパネル１０１が第２ガイド面１２８ｂに摺動することによって定まるようにしたが、ダンパ等の規制手段により、角度を所定角度に決定したり、その角度に固定するようにしてもよい。
【００６５】
また、上記第２及び第３の実施の形態において、筐体からスライド扉が平行移動して、筐体から突出する位置は、スライドパネルの上端の厚み分としたが、スライドパネルの上端が筐体の前面からスライドできる位置であれば、どの位置でもかまわない。さらに、スライド扉が平行移動した後、ワイヤー、ダンパ等の規制手段を用いて、平行移動した位置で固定するようにしてもよい。
【００６６】
またさらに、上記各例において、スライド扉の上端部を筐体の前面から開方向に臨ませる付勢手段として、ガススプリング、ダンパ等の付勢手段を用いてもよい。
【００６７】
【発明の効果】
この発明は上記の如く構成したので、スライド扉を開ける際に、被スライド部材傾斜手段或いは被スライド部材移動手段により、被スライド部材に支持されるスライドパネルの開方向側端部を筐体の前面より前方に臨ませてから、スライドパネルをスライドさせることで、スライドパネルの開方向のスライド軌跡を筐体外部に形成することができる。したがって、筐体内部にスライド扉をスライドさせるためのスペースを設ける必要をなくすることができる。
【００６８】
また、スライドパネルのスライド駆動機構を設けることにより、スライドパネルを開方向にスライドさせるのを自動的に行うことをできるようにすることができる。
【図面の簡単な説明】
【図１】この発明の第１の実施の形態を示し、スライド扉が消火栓装置の筐体の前面開口部を閉じている状態を示す側面図である。
【図２】同上を示し、スライド扉が前方に傾斜している状態を示す側面図である。
【図３】同上を示し、スライド扉のスライドパネルが上方にスライドし、消火栓装置の前面開口部を開けている状態を示す側面図である。
【図４】この発明の第２の実施の形態を示し、スライド扉が消火栓装置の筐体の前面開口部を閉じている状態を示す側面図である。
【図５】同上を示し、スライド扉が前方に平行移動している状態を示す側面図である。
【図６】同上を示し、スライド扉のスライドパネルが上方にスライドし、消火栓装置の前面開口部を開けている状態を示す側面図である。
【図７】この発明の第３の実施の形態を示し、スライド扉が消火栓装置の筐体の前面開口部を閉じている状態を示す側面図である。
【図８】同上を示し、スライド扉が前方に平行移動している状態を示す側面図である。
【図９】同上を示し、スライド扉のスライドパネルが上方にスライドし、消火栓装置の前面開口部を開けている状態を示す側面図である。
【図１０】この発明の第１の実施の形態をさらに具体化した実施例を示し、スライド扉が閉じている状態を示す裏面図である。
【図１１】同上を示し、図１０のＡ−Ａ線断面図である。
【図１２】同上を示し、図１０のＢ−Ｂ線断面を示すものであるとともに、消火栓装置の筐体の一部も含めた断面図である。
【図１３】同上を示し、図１２に相当するものであり、スライド扉のスライドパネルが上方にスライドし、消火栓装置の前面開口部を開けた状態を示す図である。
【図１４】同上を示し、スライド扉のスライドパネルのスライド駆動機構の模式図である。
【符号の説明】
１０      消火栓装置
１１      筐体
１１ａ    前面
１１ｂ    前面開口部
１２      スライド扉
１２ａ    前傾ヒンジ
１２ｂ    上端
１２ｃ    ガイドレール
１２ｄ    スライドパネル
２２      スライド扉
２２ａ    揺動アーム
２２ｂ    揺動アーム
２２ｃ    ガイドレール
２２ｄ    スライドパネル
２２ｅ    上端
３２      スライド扉
３２ａ    揺動アーム
３２ｂ    揺動アーム
３２ｃ    ガイドレール
３２ｄ    スライドパネル
３２ｅ    上端
１００    スライド扉
１０１    スライドパネル
１０２    ガイドレール
１０３    前傾ヒンジ
１１０    スライド駆動機構
１１１    ガススプリング
１１２    動滑車
１１３    第１ワイヤー
１１４    第２ワイヤー
１１６    第１定滑車
１１７    第２定滑車
【図１】
0003799570.tif 000002
【図２】
0003799570.tif 000003
【図３】
0003799570.tif 000004
【図４】
0003799570.tif 000005
【図５】
0003799570.tif 000006
【図６】
0003799570.tif 000007
【図７】
0003799570.tif 000008
【図８】
0003799570.tif 000009
【図９】
0003799570.tif 000010
【図１０】
0003799570.tif 000011
【図１１】
0003799570.tif 000012
【図１２】
0003799570.tif 000013
【図１３】
0003799570.tif 000014
【図１４】
0003799570.tif 000015